(57)【要約】【課題】ワイヤハーネスをプロテクタに取付ける際に、ワイヤハーネスの周囲に結束バンドを効率よく巻き掛けられるワイヤハーネス取付用治具を提供する。【解決手段】断面コ字状の壁面によって形成される収容室４と、壁面の底板部２に底板部２から所定距離をおいて底板部２に沿って配設される固定板７と、底板部２の固定板７と対向する部位に貫通孔５とを有するプロテクタ１に適用されるワイヤハーネス取付用治具に、プロテクタ１に装着された際に、貫通孔５に隙間無く挿入されるように形成されたガイド部１４を設け、固定板７およびガイド部１４の間に一方の側から長尺な帯状の結束バンド６の一端を送り込んだ際に、結束バンド６がガイド部１４により他方の側へ導出させる。【選択図】図１
2010004632.tif 000002
【特許請求の範囲】
【請求項１】
断面コ字状の壁面によって形成される収容室と、該壁面の底板部に該底板部から所定距離をおいて該底板部に沿って配設される固定板と、該底板部の該固定板と対向する部位に貫通孔とを有するプロテクタに適用されるワイヤハーネス取付用治具であって、
前記プロテクタに装着された際に、前記貫通孔に隙間無く挿入されるように形成されたガイド部を備え、
前記固定板および前記ガイド部の間に一方の側から長尺な帯状の結束バンドの一端を送り込んだ際に、該結束バンドが前記ガイド部により他方の側へ導出されることを特徴とするワイヤハーネス取付用治具。
【請求項２】
請求項１記載のワイヤハーネス取付用治具において、
前記プロテクタに装着された際に、前記貫通孔に挿入された状態で表面が底板部の表面にほぼ一致するように前記ガイド部が形成されたことを特徴とするワイヤハーネス取付用治具。
【発明の詳細な説明】
【技術分野】
【０００１】
本発明は、プロテクタ内に収容されるワイヤハーネスの周囲に結束バンドを巻き掛ける際に用いられるワイヤハーネス取付用治具に関する。
【背景技術】
【０００２】
従来のワイヤハーネス保護用プロテクタとして、特許文献１に開示されたものがある。このワイヤハーネス保護用プロテクタ１００は、図３に示すように、底板部１０１に、ワイヤハーネスＷが結合される固定板１０２と、この固定板１０２の両側に位置する貫通孔１０３ａ，１０３ｂとを備え、ワイヤハーネスＷの周囲には結束バンド１０４が巻き掛けられる。
【０００３】
上記構成によれば、プロテクタ１００の底板部１０１にワイヤハーネスＷを取付ける際、結束バンド１０４のバンド部１０５先端を上から一方の貫通孔１０３ａに挿通した後、下から他方の貫通孔１０３ｂに上向きに挿通し、バンド部１０５をワイヤハーネスＷの外周に巻き掛けて結束バンド１０４のロック部１０６に挿通して係止することで、ワイヤハーネスＷを固定板１０２に結合固定することができる。
【特許文献１】特開２００５−３２３４７４号公報
【発明の開示】
【発明が解決しようとする課題】
【０００４】
しかしながら、特許文献１のワイヤハーネス保護用プロテクタ１００にあっては、結束バンド１０４のバンド部１０５先端を上から一方の貫通孔１０３ａに挿通することによって、バンド部１０５先端が底板部１０１から下方へ突出するため、下から他方の貫通孔１０３ｂに上向きに挿通する手間を要し、この結束バンド１０４の巻き掛け作業の効率向上が要望されていた。
【０００５】
そこで、本発明は、前記した課題を解決すべくなされたものであり、ワイヤハーネスをプロテクタに取付ける際に、ワイヤハーネスの周囲に結束バンドを効率よく巻き掛けることができるプロテクタのワイヤハーネス取付用治具を提供することを目的とする。
【課題を解決するための手段】
【０００６】
請求項１の発明は、断面コ字状の壁面によって形成される収容室と、該壁面の底板部に該底板部から所定距離をおいて該底板部に沿って配設される固定板と、該底板部の該固定板と対向する部位に貫通孔とを有するプロテクタに適用されるワイヤハーネス取付用治具であって、前記プロテクタに装着された際に、前記貫通孔に隙間無く挿入されるように形成されたガイド部を備え、前記固定板および前記ガイド部の間に一方の側から長尺な帯状の結束バンドの一端を送り込んだ際に、該結束バンドが前記ガイド部により他方の側へ導出されることを特徴とする。
【０００７】
請求項２の発明は、請求項１記載のワイヤハーネス取付用治具において、前記プロテクタに装着された際に、前記貫通孔に挿入された状態で表面が底板部の表面にほぼ一致するように前記ガイド部が形成されたことを特徴とする。
【発明の効果】
【０００８】
請求項１の発明によれば、プロテクタにワイヤハーネス取付用治具を設けて、底板部の貫通孔にガイド部を係合させた状態で、プロテクタの固定板にワイヤハーネスを装着して、固定板および治具のガイド部の間に一方の側から結束バンドの一端を送り込む際に、結束バンドがガイド部により他方の側へ導出される。
【０００９】
さらに、前記一方の側から結束バンドを送り込んでワイヤハーネスの外周に沿って移動させることにより、結束バンドがワイヤハーネスの周囲に巻き掛けられる。次いで、結束バンドを締め込んだ状態で係止することにより、ワイヤハーネスが固定板に結合固定される。
【００１０】
これによって、ワイヤハーネスをプロテクタに取付ける際に、結束バンドの一端がプロテクタの底板部から貫通孔を介して突出することがなくて済み、突出した結束バンドの一端を押し戻す手間を省くことができるので、結束バンドをワイヤハーネスの周囲に効率よく巻き掛けることができる。
【００１１】
請求項２の発明によれば、プロテクタにワイヤハーネス取付用治具を装着するとともにガイド部を底板部の貫通孔に挿入し、プロテクタの固定板および治具のガイド部の間に一方の側から結束バンドの一端を送り込む際に、ガイド部の表面ａが底板部の表面にほぼ一致するため、底板部およびガイド部の各表面上を結束バンドの一端が摺動するので、結束バンドの一端が底板部と治具のガイド部との間を円滑に移動することができる。
【発明を実施するための最良の形態】
【００１２】
以下、本発明の一実施形態を図面に基づいて説明する。図１および図２は本発明の一実施形態を示し、図１はワイヤハーネス取付用治具を用いて結束バンドをワイヤハーネスの周囲に巻き掛ける状態を示す断面図、図２は結束バンドを締め込んでワイヤハーネスを固定板に結合する状態を示す断面図である。
【００１３】
図１および図２に示すプロテクタ１は、底板部２と、底板部２の両端にそれぞれ立設される側板部３，３とによって構成される断面コ字状の壁面を有し、壁面によって形成された収容室４にワイヤハーネスＷが収容される。また、図示しないカバーが上部に離脱自在に設けられている。
【００１４】
プロテクタ１の底板部の表面には、後述する結束バンド６のバンド部８が挿通可能に間隔を空けつつ、底板部２に沿って固定板７が形成されている。さらに、底板部２の固定板７と対向する部位には、貫通孔５が形成されている。
【００１５】
結束バンド６は、柔軟性を有する樹脂材からなり、長尺な帯状のバンド部８と、バンド部８の基端に設けられ、バンド部８の先端側が挿通されるとともにバンド部８を係止可能なロック部９とから構成されている。
【００１６】
そして、本願のワイヤハーネス取付用治具１０は、プロテクタ１に装着された際に、プロテクタ１の底板部２を受ける底部１１と、底部１１の両端に立設され、プロテクタ１の側板部３，３の外方にそれぞれ配置される側部１２，１３と、底部１１より上方に突出し、結束バンド６を案内するガイド部１４とから一体的に構成されている。
【００１７】
ガイド部１４は、底板部２の貫通孔５に隙間無く挿入されるとともに、貫通孔５に挿入された際にガイド部１４の表面１４ａが底板部２の表面２ａにほぼ一致するように形成されている。
【００１８】
上記構成において、プロテクタ１にワイヤハーネス取付用治具１０を装着して、底板部２の貫通孔５に底部１１のガイド部１４を挿入し、ガイド部１４の表面１４ａを底板部２の表面２ａにほぼ一致するように配置する。次いで、図１に示すように、プロテクタ１の固定板７上にワイヤハーネスＷを装着した状態で、固定板７およびワイヤハーネス取付用治具１０のガイド部１４の間に一方の側（図１の左側）から結束バンド６のバンド部８の先端を送り込む際に、バンド部８の先端がガイド部１４の表面１４ａ上を摺動して他方の側（図１の右側）に導出される。
【００１９】
さらに、前記一方の側から結束バンド６を送り込んでワイヤハーネスＷの外周に沿って移動させることにより、結束バンド６がワイヤハーネスＷの周囲に巻き掛けられる。次いで、図２に示すように、結束バンド６のバンド部８をロック部９に挿通して締め込んだ状態で係止することにより、ワイヤハーネスＷが固定板７に結合固定される。
【００２０】
上記構成によれば、ワイヤハーネスＷをプロテクタ１に取付ける際に、結束バンド６の一端がプロテクタ１の底板部２から貫通孔５を介して突出することがないため、突出した結束バンド６の一端を押し戻す手間を省くことができるので、結束バンド６を固定板７とともにワイヤハーネスＷの周囲に効率よく巻き掛けることができる。
【００２１】
また、上記構成によれば、プロテクタ１にワイヤハーネス取付用治具１０を装着した際に、ガイド部１４の表面１４ａが底板部２の表面２ａにほぼ一致し、底板部２の表面２ａおよびガイド部１４の表面１４ａ上を結束バンド６の一端が摺動するので、結束バンド６の一端が底板部２とワイヤハーネス取付用治具１０のガイド部１４との間を円滑に移動することができる。
【００２２】
なお、上記実施形態では、プロテクタ１の底板部２に貫通孔５が形成され、この貫通孔５の上方に固定板７が設けられる場合を例示したが、本発明はこれに限定されず、プロテクタの底板部に、ワイヤハーネスが結合される固定板、およびこの固定板の両側に形成される一対の貫通孔を備えた場合、底板部の固定板の下方に、一方の貫通孔より突出した結束バンドの一端を他方の貫通孔を介して上方へ戻るように案内するガイド部を設けることによっても同様の効果が得られる。
【図面の簡単な説明】
【００２３】
【図１】本発明の一実施形態を示し、ワイヤハーネス取付用治具を用いて結束バンドをワイヤハーネスの周囲に巻き掛ける状態を示す断面図である。
【図２】本発明の一実施形態を示し、結束バンドを締め込んでワイヤハーネスを固定板に結合する状態を示す断面図である。
【図３】従来例のワイヤハーネス保護用プロテクタを示す断面図である。
【符号の説明】
【００２４】
１…プロテクタ
２…底板部
２ａ…表面
４…収容室
５…貫通孔
６…結束バンド
７…固定板
１０…ワイヤハーネス取付用治具
１４…ガイド部
１４ａ…表面
Ｗ…ワイヤハーネス
【図１】
2010004632.tif 000003
【図２】
2010004632.tif 000004
【図３】
2010004632.tif 000005